【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
第１の電極と第２の電極との間に電気泳動粒子を含有する分散系を有する電気泳動表示装置の駆動方法であって、
表示階調に対応した位置へ前記電気泳動粒子を移動させるために、前記表示階調に対応した値の電圧を、前記第１の電極および前記第２の電極の間に印加する第１のステップと、
前記第１のステップの後、前記電気泳動粒子の運動に制動をかけるための制動電圧を前記第１の電極および前記第２の電極の間に印加する第２のステップと、
を有することを特徴とする電気泳動表示装置の駆動方法。
【請求項２】
請求項１に記載の電気泳動表示装置の駆動方法であって、
前記第２のステップにおける前記第１の電極の電位は、前記第１のステップにおいて前記第１の電極の電位が前記第２の電極の電位より高い場合には前記第２の電極の電位より低く、前記第１のステップにおいて前記第１の電極の電位が前記第２の電極の電位より低い場合には前記第２の電極の電位より高いことを特徴とする電気泳動表示装置の駆動方法。
【請求項３】
請求項１または２に記載の電気泳動表示装置の駆動方法であって、
前記第２のステップにおける前記制動電圧の値は、前記第１のステップにおける前記電圧の値に応じた、前記電気泳動粒子を停止させるのに必要な値であることを特徴とする電気泳動表示装置の駆動方法。
【請求項４】
第１の電極と第２の電極との間に電気泳動粒子を含有する分散系を有する電気泳動表示装置の駆動回路であって、
前記第１の電極に電位を与える第１駆動部と、前記第２の電極に電位を与える第２駆動部とを有し、
前記第１駆動部および前記第２駆動部は、
表示階調に対応した位置へ前記電気泳動粒子を移動させるために、前記表示階調に対応した値の電圧を、前記第１の電極および前記第２の電極の間に印加する第１のステップと、
前記第１のステップの後、前記電気泳動粒子の運動に制動をかけるための制動電圧を前記第１の電極および前記第２の電極の間に印加する第２のステップと、
を実行することを特徴とする電気泳動表示装置の駆動回路。
【請求項５】
第１の電極および第２の電極と、
前記第１の電極と前記第２の電極との間に配置された、電気泳動粒子を含有する分散系と、
を有する電気泳動表示装置であって、
表示階調に対応した位置へ前記電気泳動粒子を移動させるために、前記表示階調に対応した値の電圧が前記第１の電極および前記第２の電極の間に印加され、
前記表示階調に対応した値の電圧が印加された後、前記電気泳動粒子の運動に制動をかけるための制動電圧が前記第１の電極および前記第２の電極の間に印加されることを特徴とする電気泳動表示装置。
【請求項６】
請求項５に記載の電気泳動表示装置であって、
前記制動電圧が印加される際の前記第１の電極の電位は、前記表示階調に対応した値の電圧が印加される際の前記第１の電極の電位が前記第２の電極の電位より高い場合には前記第２の電極の電位より低く、前記表示階調に対応した値の電圧が印加される際の前記第１の電極の電位が前記第２の電極の電位より低い場合には前記第２の電極の電位より高いことを特徴とする電気泳動表示装置。
【請求項７】
請求項５または６に記載の電気泳動表示装置を表示部に備えることを特徴とする電子機器。
【手続補正２】
【補正対象書類名】明細書
【補正対象項目名】発明の名称
【補正方法】変更
【補正の内容】
【発明の名称】電気泳動表示装置の駆動方法、駆動回路、電気泳動表示装置および電子機器
【手続補正３】
【補正対象書類名】明細書
【補正対象項目名】０００５
【補正方法】変更
【補正の内容】
【０００５】
上記目的を達成するため、本発明の電気泳動表示装置の駆動方法は、第１の電極と第２の電極との間に電気泳動粒子を含有する分散系を有する電気泳動表示装置の駆動方法であって、表示階調に対応した位置へ前記電気泳動粒子を移動させるために、前記表示階調に対応した値の電圧を、前記第１の電極および前記第２の電極の間に印加する第１のステップと、前記第１のステップの後、前記電気泳動粒子の運動に制動をかけるための制動電圧を前記第１の電極および前記第２の電極の間に印加する第２のステップと、を有することを特徴とする。
上記電気泳動表示装置の駆動方法においては、前記第２のステップにおける前記第１の電極の電位は、前記第１のステップにおいて前記第１の電極の電位が前記第２の電極の電位より高い場合には前記第２の電極の電位より低く、前記第１のステップにおいて前記第１の電極の電位が前記第２の電極の電位より低い場合には前記第２の電極の電位より高いことが好ましい。
上記電気泳動表示装置の駆動方法においては、前記第２のステップにおける前記制動電圧の値は、前記第１のステップにおける前記電圧の値に応じた、前記電気泳動粒子を停止させるのに必要な値であることが好ましい。
本発明の電気泳動表示装置の駆動回路は、第１の電極と第２の電極との間に電気泳動粒子を含有する分散系を有する電気泳動表示装置の駆動回路であって、前記第１の電極に電位を与える第１駆動部と、前記第２の電極に電位を与える第２駆動部とを有し、前記第１駆動部および前記第２駆動部は、表示階調に対応した位置へ前記電気泳動粒子を移動させるために、前記表示階調に対応した値の電圧を、前記第１の電極および前記第２の電極の間に印加する第１のステップと、前記第１のステップの後、前記電気泳動粒子の運動に制動をかけるための制動電圧を前記第１の電極および前記第２の電極の間に印加する第２のステップと、を実行することを特徴とする。
本発明の電気泳動表示装置は、第１の電極および第２の電極と、前記第１の電極と前記第２の電極との間に配置された、電気泳動粒子を含有する分散系と、を有する電気泳動表示装置であって、表示階調に対応した位置へ前記電気泳動粒子を移動させるために、前記表示階調に対応した値の電圧が前記第１の電極および前記第２の電極の間に印加され、
前記表示階調に対応した値の電圧が印加された後、前記電気泳動粒子の運動に制動をかけるための制動電圧が前記第１の電極および前記第２の電極の間に印加されることを特徴とする。
上記電気泳動表示装置においては、前記制動電圧が印加される際の前記第１の電極の電位は、前記表示階調に対応した値の電圧が印加される際の前記第１の電極の電位が前記第２の電極の電位より高い場合には前記第２の電極の電位より低く、前記表示階調に対応した値の電圧が印加される際の前記第１の電極の電位が前記第２の電極の電位より低い場合には前記第２の電極の電位より高いことが好ましい。
本発明の電子機器は、上記電気泳動表示装置を表示部に備えることを特徴とする。
また、本発明の電気泳動表示装置の駆動方法の別の態様は、共通電極と、複数の画素と、各画素に接続された複数のスイッチング素子とを有し、前記複数の画素の各々が、前記スイッチング素子の１つと接続され、前記共通電極とを距離とあけて対向した画素電極と、前記共通電極と前記画素電極との間に挟まれ、電気泳動粒子を含有する分散系とを有する電気泳動装置の駆動方法であって、前記共通電極に第１電圧を印加し、所定時間で、前記画素電極および前記共通電極の間における当該画素の表示階調に対応した位置まで前記電気泳動粒子を移動させるための第２電圧の値を決定し、前記所定時間、前記第２電圧を前記スイッチング素子を介して前記画素電極に印加する書込動作を行った後、前記スイッチング素子を介して前記画素電極に前記第１電圧を印加する無バイアス動作を行うことを特徴とする。